(57)【要約】【課題】キャップ３を容器体２の口頸部６に螺着させた形態の容器であって、キャップの螺合終点時にはキャップの容器体に対する所定回動位置での安定した係合が可能であり、しかも振動等によりキャップの螺合が弛む等の不都合のないキャップ付き容器を提案する。【解決手段】容器体の肩部５上に設けた環状の係合外周面 fo と、キャップ周壁20内周下端部に設け且つキャップ螺着終点時に係合外周面に係合する係合内周面 fi とを備え、これら係合外周面及び係合内周面は、直線と外方へ膨出する曲線とを交互に連続した略多角形状の平面視形状をなす如く構成した。【選択図】図１
2006096398.tif 000002
【特許請求の範囲】
【請求項１】
胴部４より肩部５を介して口頸部６を起立した容器体２と、前記口頸部外周に螺着させたキャップ３とからなるキャップ付き容器であって、前記肩部５上に設けた環状の係合外周面 fo と、前記キャップ周壁20内周下端部に設け且つキャップ螺着終点時に前記係合外周面に係合する係合内周面 fi とを備え、前記係合外周面及び前記係合内周面は、直線と外方へ膨出する曲線とを交互に連続した略多角形状の平面視形状をなす如く構成したことを特徴とするキャップ付き容器。
【請求項２】
前記係合外周面 fo の平面視形状である略多角形状が、各直線の長さ及び各曲線の曲率半径がそれぞれ同じである略多角形状であり、前記係合内周面 fi の平面視形状である略多角形状が、各直線の長さ及び各曲線の曲率半径がそれぞれ同じである略多角形状である如く構成してなる請求項１記載のキャップ付き容器。
【請求項３】
前記キャップ３の螺着終点時に、前記係合外周面 fo を構成する第１直線面部s1と前記係合内周面 fi を構成する第２直線面部s2とが互いに密接し、且つ、前記係合外周面 fo を形成する第１曲線面部c1と前記係合内周面 fi を構成する第２曲線面部c2との間にそれぞれ隙間ｄが生じる如く構成してなる請求項１又は請求項２のいずれかに記載のキャップ付き容器。
【発明の詳細な説明】
【技術分野】
【０００１】
本発明はキャップ付き容器に関する。
【背景技術】
【０００２】
キャップを容器体口頸部に螺着させた形態の容器として、例えば、胴部横断面を細長状とした容器体胴部の肩部から口頸部を突出させた容器体と、容器体胴部と同一の横断面形状をなす外周壁を有し、頂壁裏面からは容器体口頸部への螺合用筒部を垂設させたキャップとからなり、容器体肩部の上面で且つ口頸部の基部周辺に形成した膨出部に第１係合部を設け、また、キャップ外周壁に位置合せ用の第２係合部を設け、キャップを口頸部へ螺合させて容器体胴部外壁面の延長上方にキャップ外周壁外面が位置したとき、第１係合部が第２係合部へ係合する如く構成したものが知られている。（例えば、特許文献１参照）      
【０００３】
或いは、容器体口頸部の基端外周の肩部上に平面視四角形状の隆起部を形成させ、又、キャップの口頸部螺合用周壁の下端面から弾性変形容易に肉薄とした短周壁部を垂設し、この短周壁部の内面形状を隆起部の上面外形と同一とし、キャップ締め付け時において隆起部が短周壁部内へ嵌合可能となる如く構成したものが知られている（特許文献２参照) 。
【特許文献１】実公昭５５−１６８３７号公報
【特許文献２】実公昭５７−５３２４０号公報
【発明の開示】
【発明が解決しようとする課題】
【０００４】
従来のこの種の容器は、キャップの螺着或いは螺脱の際にキャップの開閉を手応えで知ることが出来、かつ振動等によるキャップの弛みを防止できるものである。また、容器体外周とキャップ外周とが同様形状の場合には、螺着に際して容器体の胴部外周及びキャップ外周を容易に合わせることができる等の種々の効果を発揮できるものであるが、いまだ改良の余地を残している。
【０００５】
例えば前者の場合第１係合部と第２係合部との係合にその係合箇所以外でキャップ外周壁と膨出部との間で充分な空間を保有させているため、第１係合部と第２係合部との係合が局部的となり安定性に乏しく、また、後者の場合には長期使用により隆起部の角が損傷し易い等の不都合がある。
【０００６】
本発明は上記した点に鑑みてなされたもので、螺合終点時にはキャップの容器体に対する所定回動位置での安定した係合が可能であり、一旦係合すれば振動等によりキャップの螺合が弛む等の不都合がなく、しかもその係合或いは係合解除の際に損傷等が生じる虞れが極めて少なく、更に、必要に応じた容器体外周のキャップ外周との位置合わせを容易に行えるキャップ付き容器を提案する。
【課題を解決するための手段】
【０００７】
第１の手段として、胴部４より肩部５を介して口頸部６を起立した容器体２と、前記口頸部外周に螺着させたキャップ３とからなるキャップ付き容器であって、前記肩部５上に設けた環状の係合外周面 fo と、前記キャップ周壁20内周下端部に設け且つキャップ螺着終点時に前記係合外周面に係合する係合内周面 fi とを備え、前記係合外周面及び前記係合内周面は、直線と外方へ膨出する曲線とを交互に連続した略多角形状の平面視形状をなす如く構成した。
【０００８】
第２の手段として、前記第１の手段に於いて、前記係合外周面 fo の平面視形状である略多角形状が、各直線の長さ及び各曲線の曲率半径がそれぞれ同じである略多角形状であり、前記係合内周面 fi の平面視形状である略多角形状が、各直線の長さ及び各曲線の曲率半径がそれぞれ同じである略多角形状である如く構成した。
【０００９】
第３の手段として、前記第１の手段又は第２の手段に於いて、前記キャップ３の螺着終点時に、前記係合外周面 fo を構成する第１直線面部s1と前記係合内周面 fi を構成する第２直線面部s2とが互いに密接し、且つ、前記係合外周面 fo を形成する第１曲線面部c1と前記係合内周面 fi を構成する第２曲線面部c2との間にそれぞれ隙間ｄが生じる如く構成した。
【発明の効果】
【００１０】
本発明のキャップ付き容器は、容器体２の肩部５上に設けた環状の係合外周面 fo と、キャップ３の周壁20内周下端部に設けた係合内周面 fi とを備えているため、キャップ３の螺着終点に於いて両者が係合してキャップをその位置に確実に止め、振動等の外力でキャップの螺合が弛む等の不都合を防止できるものである。しかも、係合外周面 fo 及び係合内周面 fi は、直線と外方へ膨出する曲線とを交互に連続した略多角形状の平面視形状をなしているので、キャップの螺着或いは螺脱時即ち係合外周面 fo に対する係合内周面 fi の係脱時に角部が削れたり、極端な変形を起こしたりするなどの不都合を生じることはなく、両者の係脱が無理なく行える。
【００１１】
特に、前記係合外周面 fo の平面視形状である略多角形状が、各直線の長さ及び各曲線の曲率半径がそれぞれ同じである略多角形状であり、前記係合内周面 fi の平面視形状である略多角形状が、各直線の長さ及び各曲線の曲率半径がそれぞれ同じである略多角形状である如く構成した場合には、係合外周面 fo への係合内周面 fi の係合の際に内外方向の凹凸変化が少なくて係合がより行い易い。
【００１２】
また、キャップ３の螺着時に、係合外周面 fo を構成する第１直線面部s1と係合内周面 fi を構成する第２直線面部s2とが互いに密接し、且つ、係合外周面 fo を構成する第１曲線面部c1と、係合内周面 fi を構成する第２曲線面部c2との間にそれぞれ隙間ｄが生じる如く構成すれば、係合外周面 fo への係合内周面 fi の係合の際に摺動面積を出来るだけ少なくでき、同様にキャップの係脱がより行い易くなる。
【発明を実施するための最良の形態】
【００１３】
以下、本発明の実施例の形態を図面を参照して説明する。
【００１４】
図１は本発明スパウトを使用した容器の一例を示し、該容器は、容器体２と、キャップ３とを備えている。
【００１５】
容器体２は胴部４より肩部５を介して口頸部６起立した形態のものが使用できる。口頸部６の外面にはキャップ３を螺着させるための螺条７を周設している。本発明では、容器体２の肩部５上に環状の係合外周面 fo を設けている。この係合外周面 fo は、その平面視形状が直線と外方へ膨出する曲線とを交互に連続した多角形状をなしている。更にいえば、係合外周面 fo は、第１直線面部s1と第１曲線面部c1とを交互に連続している。第１直線面部s1と第１曲線面部c1の数は特に限定はないが、上記条件を満たす上で少なくとも二面ずつ以上を必要とし、従って、四角形以上の偶数多角形状が採用される。なかでも六角形状が好ましい。
【００１６】
図示例では、口頸部６の基端部に連続する環状台部８を肩部５上に設け、この環状台部８外周を係合外周面 fo としている。係合外周面 fo は、三面の横長矩形状をなす第１直線面部s1と、三面の正面視横長矩形状をなす第１曲線面部c1とからなり、その平面視形状である略多角形状が、各直線の長さ及び各曲線の曲率半径がそれぞれ同じである略多角形状であり、換言すれば、略六角形状に形成している。また、口頸部６内下端部には吐出弁10を設けており、該吐出弁10は口頸部６内に嵌着した固定筒11に開閉可能に支持された弁板12により吐出弁孔13を開閉可能に閉塞しており、口頸部６外周上端に嵌合筒14を嵌着して口頸部６上方に筒状のノズル15を立設している。
【００１７】
キャップ３は、容器体口頸部６外周に着脱可能に周壁を螺着させて装着したもので、周壁20上端より頂壁21を延設している。周壁20内周には口頸部６外周の螺条７と螺合させる螺条22を周設しており、また、頂壁21裏面には螺着した際にノズル15の上面に圧接してその部分の液密性を図るシール筒を突設している。
【００１８】
また、本発明ではキャップ３の周壁20内周に、キャップ螺着時に前記係合外周面 fo と係合する係合内周面 fi を設けている。この係合内周面 fi は前記係合外周面 fo と同様に、その平面視形状が、直線と外方へ膨出する曲線とを交互に連続した多角形状をなしており、また、第２直線面部s2及び第２曲線面部c2とを交互に連続した構成としている。更に、係合外周面 fo と係合内周面 fi とは略同一形状に形成されている。係合内周面 fi の具体的形状は対応する係合外周面 fo に係合可能であれば良く、従って、両者が同一形状で第１，第２の各直線面部相互及び第１，第２の各曲線面部相互が密接する如き形状であっても良い。図示例ではより容易な両者の係合を目的として、係合外周面 fo を形成する第１直線面部s1と係合内周面 fi を構成する第２直線面部s2とが互いに密接し、且つ、係合外周面 fo を形成する第１曲線面部c1と係合内周面 fi を構成する第２曲線面部c2との間に隙間ｄが生じる如く構成している。
【００１９】
上記の如く構成した容器は、容器体２上方よりキャップ３を螺着すれば、螺動下降するキャップ周壁20内周の係合内周面 fi が螺動下降の最終段階で容器体２の係合外周面 fo と係合する。尚、図示例では容器体胴部４及びキャップ３の外周を平面視円形状に形成した例を示したが、非円形の場合には両者が合致する位置で終点とすることが可能である。また、各部材は合成樹脂により形成することができるが、材質は限定されない。
【図面の簡単な説明】
【００２０】
【図１】本発明キャップ付き容器の半断面図である。（実施例１）
【図２】本発明キャップ付き容器の分解斜視図である。（実施例１）
【図３】本発明に於けるキャップの底面図である。（実施例１）
【図４】本発明に於ける係合外周面及び係合外周面を説明する説明図である。（実施例１）
【符号の説明】
【００２１】
２…容器体，３…キャップ，４…胴部，５…肩部，６…口頸部， fo …係合外周面，     fi …係合内周面，s1…第１直線面部，c1…第１曲線面部，s2…第１直線面部，
c2…第１曲線面部，
【図１】
2006096398.tif 000003
【図２】
2006096398.tif 000004
【図３】
2006096398.tif 000005
【図４】
2006096398.tif 000006